(57)【要約】【課題】身と内臓の両方が繋がった状態で傷付けずに取り出すことが可能な巻き貝の身取出具を提供する。【解決手段】身取出具１は、取手部１１とサザエの殻の内部に挿入する挿入部１３と取手部１１から挿入部１３まで延びる延長部１２とを備える。挿入部１３は、殻の渦巻き形状に応じて取手部１１側の基端部１４から切断部１６まで湾曲して延びる湾曲部１５を有する。取手部１１が操作され、切断部１６が殻口から殻の内部に挿入されて切断部１６で殻口側の繋部が切断される。切断部１６が殻の内部に更に挿入され、切断部１６及び湾曲部１５が殻の内壁と身との空間を通過する。更に、切断部１６が内臓側の繋部に到達した後に、湾曲部１５の基端側が殻の内壁の外周側と身との間に移動した状態となり、この状態から切断部１６が内臓側の繋部を切断する。【選択図】図１
2018033321.tif 000002
【特許請求の範囲】
【請求項１】
巻き貝の殻の内部に挿入する挿入部と取手部とを備えた巻き貝の身取出具であって、
前記挿入部は、前記殻の渦巻き形状に応じて前記取手部側の基端部から先端部まで湾曲して延びる湾曲部を有し、
前記先端部が殻口から前記殻の内部に挿入された後に、前記先端部が殻の内壁と身とを繋ぐ殻口側の繋部を切断し、
前記殻口側の繋部の切断後に前記先端部が前記殻の内部に更に挿入されたときに、前記先端部及び前記湾曲部が前記殻の内壁と身との間の空間を通過し、
前記先端部が前記殻口側の繋部よりも内臓側且つ前記殻の内壁の内周側に位置し前記殻の内壁と身とを繋ぐ内臓側の繋部に到達したときに、前記湾曲部の基端側が前記殻の内壁の外周側と身との間に移動した状態となり、この状態から前記湾曲部が前記空間内を移動しながら前記先端部が前記内臓側の繋部を切断する、
巻き貝の身取出具。
【請求項２】
前記取手部から前記挿入部まで延びて形成され、前記挿入部が前記殻の内部に挿入された状態における前記取手部の可動域を拡張する可動域拡張部を更に備える、
請求項１に記載の巻き貝の身取出具。
【発明の詳細な説明】
【技術分野】
【０００１】
本発明は、巻き貝の身取出具に関する。
【背景技術】
【０００２】
サザエ等の巻き貝の殻から身を取り出す器具として、以下のものが提案されている。
【０００３】
特許文献１には、殻口内壁に接する湾曲状の掻取部を有する巻き貝の身取出具が記載されている。特許文献１の巻き貝の身取出具は、掻取部先端に形成された刃先を殻口に差し入れて殻口付近の繋部を切断し、身や内臓を取り出す器具である。
【０００４】
特許文献２には、先端部が曲げられたブレードの両側縁に複数の切欠部が形成されたサザエオープナーが記載されている。特許文献２のサザエオープナーは、ブレードを殻の中に差し入れ、身や内臓を切欠部に引っかけて取り出す器具であり、適度なカーブを有する先端部が殻と蓋との間に差し入れられ易く形成され、殻口付近の繋部を切断し易くなっている。
【先行技術文献】
【特許文献】
【０００５】
【特許文献１】特開平１１−４２０４９号公報
【特許文献２】特開２０００−１１６２９８号公報
【発明の概要】
【発明が解決しようとする課題】
【０００６】
特許文献１に記載の技術では、掻取部の刃先が鋭利な形状に加工されているため、繋部切断後に身を掻き取るときに、刃先によって身又は内臓が傷付く虞がある。また、特許文献２に記載の技術では、切欠部を身や内臓に引っかけて取り出すので、切欠部によって身又は内臓が傷付く虞がある。
また、特許文献１、２に記載の技術では、ブレードや掻取部が殻口付近の殻の内壁と身との繋部（殻軸筋、貝柱）を切断し易い形状に形成されている。ここで、サザエ等の巻き貝には、蓋を保持するための殻口付近の繋部（殻口側の繋部、手前の繋部、殻口側の貝柱、貝柱の手前側）だけではなく、身と内臓とを殻内部で安定して保持するための内臓付近の繋部（内臓側の繋部、奥の繋部、内臓側の貝柱、貝柱の奥側）も存在する。特許文献１、２に記載の技術では、殻口付近の繋部のみ切断し、内臓付近の繋部を切断していないので、身を引き出したり、掻き出したりするときに内臓が身と分離し、内臓が殻の中に残り易くなるという問題もある。
【０００７】
本発明は、上記実情に鑑みてなされたものであり、身と内臓の両方が繋がった状態で傷付けずに取り出すことが可能な巻き貝の身取出具を提供することを目的とする。
【課題を解決するための手段】
【０００８】
上記目的を達成するため、本発明に係る巻き貝の身取出具は、巻き貝の殻の内部に挿入する挿入部と取手部とを備えた巻き貝の身取出具であって、前記挿入部は、前記殻の渦巻き形状に応じて前記取手部側の基端部から先端部まで湾曲して延びる湾曲部を有し、前記先端部が殻口から前記殻の内部に挿入された後に、前記先端部が殻の内壁と身とを繋ぐ殻口側の繋部を切断し、前記殻口側の繋部の切断後に前記先端部が前記殻の内部に更に挿入されたときに、前記先端部及び前記湾曲部が前記殻の内壁と身との間の空間を通過し、前記先端部が前記殻口側の繋部よりも内臓側且つ前記殻の内壁の内周側に位置し前記殻の内壁と身とを繋ぐ内臓側の繋部に到達したときに、前記湾曲部の基端側が前記殻の内壁の外周側と身との間に移動した状態となり、この状態から前記湾曲部が前記空間内を移動しながら前記先端部が前記内臓側の繋部を切断する、ことを特徴とする。
このようにすることで、身と内臓の両方が繋がった状態で傷付けずに取り出せる。
【０００９】
なお、本発明に係る巻き貝の身取出具は、前記取手部から前記挿入部まで延びて形成され、前記挿入部が前記殻の内部に挿入された状態における前記取手部の可動域を拡張する可動域拡張部を更に備えてもよい。
このようにすることで、可動域拡張部を備えていない巻き貝の身取出具よりも取手部の可動域を拡張できる。
【図面の簡単な説明】
【００１０】
【図１】本実施形態に係る巻き貝の身取出具の説明図であり、（Ａ）は斜視図、（Ｂ）は正面図、（Ｃ）は背面図、（Ｄ）は右側面図、（Ｅ）は左側面図、（Ｆ）は平面図、（Ｇ）は底面図である。
【図２】巻き貝の身取出具によってサザエの身及び内臓を取り出すときの説明図であり、（Ａ）は殻口側の繋部を切断するときのサザエの断面及び挿入部の状態説明図、（Ｂ）は（Ａ）の状態から挿入部を殻内部に挿入したときのサザエの断面及び挿入部の状態説明図、（Ｃ）は内臓側の繋部を切断するときのサザエの断面及び挿入部の状態説明図である。
【図３】図２（Ｃ）のＩＩＩ−ＩＩＩ線断面図である。
【発明を実施するための形態】
【００１１】
図１（Ａ）〜図１（Ｇ）に示すように、本実施形態に係る巻き貝の身取出具１は、取手部１１と延長部（可動域拡張部）１２と挿入部１３とを備える。挿入部１３は、基端部１４と湾曲部１５と切断部（先端部、自由端部）１６とを備える。
【００１２】
取手部１１は、略円柱状に形成され、身取出具１を操作するために使用者（ユーザ）によって把持される。使用者は、取手部１１を介して、巻き貝の殻２０の内部における挿入部１３の位置、挿入の角度、挿入の深さ等を調節する操作を行う。
延長部１２は、取手部１１から挿入部１３まで延びて形成されている。延長部１２は、十分な剛性を有する針金によって構成され、取手部１１の軸方向（延長方向）に沿って取手部１１の一端から外方に延びる直線状に形成されている。
挿入部１３は、延長部１２の針金が連続して延びて形成されており、巻き貝の身及び内臓を取り出すときに殻の内部に挿入される。
挿入部１３は、延長部１２の延長方向と直交する方向（直交方向）に沿って延長部１２の先端から連続して延びる基端部１４と、基端部１４から湾曲して延びる湾曲部１５と、湾曲部１５の先端に形成された切断部１６とを有する。
湾曲部１５は、基端部１４から弦巻線状（螺旋状、スクリュー形状）に捻れて３次元的に延びており、弦巻の中心軸が取手部１１および延長部１２の中心軸と平行となるように設定されている。
切断部１６は、先端に進むにつれて外径が小さくなる所謂先細り形状で且つ先端が面取りされて丸みを帯びた球面状に形成されている。
【００１３】
なお、巻き貝には個体差があり、大きさの一例としての殻高が３ｃｍから２０ｃｍの範囲であると想定した場合、延長部１２及び挿入部１３の針金の太さ（直径）は、３ｍｍから８ｍｍの範囲に設定されており、特に３ｍｍから６ｍｍの範囲に設定されることが好ましく、本実施形態では約４ｍｍに設定されている。また、延長部１２の延長方向の長さは、延長部１２は省略可能であるため０ｃｍから５ｃｍの範囲に設定されており、特に１．５ｃｍから３．５ｃｍの範囲に設定されることが好ましく、本実施形態では約２．５ｃｍに設定されている。また、湾曲部１５の曲率半径は、特に２ｃｍから４ｃｍの範囲に設定されることが好ましく、本実施形態では約３ｃｍに設定されている。また、湾曲部１５（挿入部１３全体）の弧の長さは、３ｃｍから３０ｃｍの範囲に設定されており、特に５ｃｍから１２ｃｍの範囲に設定されていることが好ましく、本実施形態では約７ｃｍに設定されている。また、湾曲部１５の弦巻の中心軸は、取手部１１および延長部１２の中心軸から約２．５ｃｍ離れた位置に設定されている。また、湾曲部１５の捻れの程度の一例としての弦巻１回転あたりに基端部１４から離れる距離は、２．５ｃｍから３０ｃｍの範囲に設定されており、特に５ｃｍから１５ｃｍの範囲に設定されていることが好ましく、本実施形態では約１０ｃｍに設定されている。また、湾曲部１５の捻れの程度の他の例としての延長部１２と湾曲部１５が形成される平面とのなす角度は、２５°から６５°の範囲に設定されており、特に３５°から５５°の範囲に設定されていることが好ましく、本実施形態では約４５°に設定されている。
【００１４】
次に、図２及び図３を参照して、身取出具１を用いてサザエ２の身等を取り出す工程を説明する。なお、説明を簡潔にするため、図２及び図３では取手部１１やサザエ２の一部は簡略化されている。
【００１５】
図２（Ａ）〜図２（Ｃ）に示すように、サザエ２は、殻２０と、殻２０に収容された身２１及び図示しない内臓とを有する。殻２０は、殻口２２と中心軸２３とを有する。身２１及び内臓と殻２０との間に形成された隙間（空間）には海水や空気やサザエ２の分泌物等が満たされている。殻２０及び身２１は、殻２０の内壁の外周側（中心軸２３と対向する側、殻２０の内壁の外側）で且つ殻口２２の近傍に形成された殻口側の繋部（殻口側の貝柱、貝柱の手前側）２４と、殻口２２よりも奥の内臓側で且つ殻２０の内壁の内周側（中心軸２３側、殻２０の内壁の内側）に形成された内臓側の繋部（内臓側の貝柱、貝柱の奥側）２５で繋がっている。なお、殻口側の繋部２４と内臓側の繋部２５とは殻２０の内壁の曲線に沿って繋がっている。また、サザエ２には、身２１が殻口２２を塞ぐ図示しない蓋を安定して保持するために殻口側の繋部２４が設けられ、身２１が殻２０の内部で内臓を安定して保持するために内臓側の繋部２５が設けられていると考えられる。
【００１６】
サザエ２の身等を取り出すには、先ず、切断部１６を蓋と殻２０との隙間に差し込む。この結果、身２１から蓋が外れ、殻口２２から殻口側の繋部２４が露出した図２（Ａ）に示す状態になる。この状態から切断部１６で殻口側の繋部２４を切断する。具体的には、切断部１６の外側面（図１（Ｅ）における切断部１６の左側面）が殻２０の内壁の外周側に接触した状態（切断部１６の外周側接触状態）を維持しつつ、使用者が取手部１１を操作して切断部１６を殻口側の繋部２４の位置に移動させることで殻口側の繋部２４が切断される（擦り取られる）。切断後、殻２０の外周側の隙間（殻２０の内壁の外周側と身２１との隙間）を縫って挿入部１３を殻２０の内部に挿入させ、図２（Ｂ）に示す状態にする。具体的には、湾曲部１５の外側面（図１（Ｅ）における湾曲部１５の左側面）が殻２０の内壁の外周側に接触した状態（湾曲部１５の外周側接触状態）を維持しつつ、図２（Ａ）の矢印に示すように、使用者が取手部１１を殻２０側に押し込んで切断部１６及び湾曲部１５を殻口側の繋部２４の切断位置を通過させて殻２０の内部に進入させる。
【００１７】
図２（Ｂ）に示す状態から挿入部１３を殻２０の内部に更に挿入させつつ挿入部１３全体を身２１の上方から下方に移動させ、図２（Ｃ）及び図３に示す状態にする。具体的には、上述した湾曲部１５の外周側接触状態を維持しつつ、図２（Ｂ）の矢印に示すように、使用者が取手部１１を殻２０側に更に押し込みながら時計回りに回転移動することで切断部１６及び湾曲部１５を身２１の上方から下方に回転移動させつつ切断部１６を内臓側の繋部２５の下方まで到達させる。なお、このようにするために、湾曲部１５は、少なくとも上述した湾曲部１５の外周側接触状態において切断部１６が内臓側の繋部２５の下方に配置可能な湾曲形状に形成されている必要がある。
図２（Ｃ）及び図３に示す状態から切断部１６で内臓側の繋部２５を切断する。具体的には、少なくとも湾曲部１５の基端側が殻２０の内壁の外周側に接触した状態を維持するとともに、切断部１６の内側面（図１（Ｅ）における切断部１６の右側面）が殻２０の内壁の内周側に接触した状態（切断部１６の内周側接触状態）を維持する。この状態で図２（Ｃ）及び図３の矢印に示すように、使用者が取手部１１を時計回りに回転して切断部１６を上方の内臓側の繋部２５の位置に移動させることで内臓側の繋部２５が切断される。
【００１８】
内臓側の繋部２５が切断されると、身２１及び内臓が殻２０から分離した状態となる。使用者が取手部１１を反時計回りに回転させながら使用者側に引っ張ると（引き抜くと）、身２１及び内臓が挿入部１３に絡まった状態で切断部１６によって傷付けられることなく殻２０から取り出すことができる。このとき、身２１及び内臓は、殻２０から分離した状態であるため、引き抜きの際に、身２１と内臓とが千切れることもない。
【００１９】
以上説明したように、本実施形態の身取出具１は、切断部１６が身２１に触れずに殻２０の内部の隙間を移動して各繋部２４、２５を切断できる。この結果、身２１と内臓の両方が繋がった状態で傷付けずに取り出すことができる。
【００２０】
また、本実施形態の身取出具１は、取手部１１と挿入部１３との間に延長部１２が設けられている。この結果、延長部が設けられておらず挿入部が殻２０の内部に挿入された状態において取手部が殻口２２の近傍で殻２０と接触する可能性が高い身取出具に比べて挿入部１３が殻２０の内部に挿入された状態において取手部１１の可動域を拡張できる。すなわち、本実施形態によれば、延長部が設けられていない身取出具よりも身２１を傷付けずに切断部１６を内臓側の繋部２５まで到達させて切断することが容易である。
ここで、サザエ２は、個体差によって、大きさの異なるものが存在することが確認されている。しかしながら、本実施形態の身取出具１は、延長部１２によって取手部１１の操作を行い易くなっているので、個体差によって大きさが異なる、例えば殻高が３ｃｍから２０ｃｍの範囲で異なるサザエ２であっても、内臓側の繋部２５を切断し易くなっている。
【００２１】
以上の説明は、サザエ２を例としてなされてきたが、本発明に係る身取出具１の適用はこれに限られず、アカニシガイ等の他の種類の巻き貝にも適用され得る。例えば、殻の巻き方及び内臓側の繋部２５の位置に応じて挿入部１３、特に湾曲部１５の長さ及び湾曲度合い等を調整することにより、身取出具１はサザエ２以外の巻き貝にも適用可能である。
【符号の説明】
【００２２】
１  身取出具、１１  取手部、１２  延長部（可動域拡張部）、１３  挿入部、１４  基端部、１５  湾曲部、１６  切断部（先端部）、２  サザエ、２０  殻、２１  身、２２  殻口、２３  中心軸、２４  殻口側の繋部、２５  内臓側の繋部
【図１】
2018033321.tif 000003
【図２】
2018033321.tif 000004
【図３】
2018033321.tif 000005